(57)【特許請求の範囲】
【請求項１】
電池を格納するための電池室であって、
前記電池室に前記電池が出入りするための取出開口部と、
前記取出開口部の縁部から内側に向けて突出する張出部と、
前記電池を前記張出部の方向に付勢する第１の弾性部材と、
前記電池室の外部かつ前記張出部の外側に軸支され、前記取出開口部を塞ぐように回動する蓋部と、
前記蓋部の取出開口部に対向する面であって前記蓋部の回動端側に設けられ、前記蓋部が前記取出開口部を塞いだときに、前記電池が前記張出部の前記電池室側の面と係合するように前記電池を付勢する突起とを備える電池室。
【請求項２】
前記張出部が突出する方向における電池室の長さは、前記取出開口部から前記電池室の最奥部に向けて単調に減少する請求項１に記載の電池室。
【請求項３】
前記取出開口部には段部が設けられ、
前記蓋部は、前記回動端から出入自在に設けられる係合部材を備え、
前記係合部材は、前記蓋部が前記取出開口部を塞いだときに、前記回動端の端部から突出して前記段部と係合する係合端部を備える請求項１に記載の電池室。
【請求項４】
前記蓋部は、回動方向に開口する第１の孔部と、
前記第１の孔部と遊嵌する操作釦とを備え、
前記操作釦は、前記係合端部と反対側の後端部と係合して、前記係合部材の動きを規制する規制部材を備え、
前記操作釦は、前記蓋部が前記取出開口部を塞いだとき、前記電池室に格納された電池により押圧されて前記蓋部から前記電池室の外部へ突出することにより、前記規制部材の操作を可能にする請求項３に記載の電池室。
【請求項５】
前記電池室の側面に前記張出部の張り出し方向とほぼ同じ方向に貫通するように形成される第２の孔部と、
前記第２の孔部と遊嵌する押出部材とを備え、
前記押出部材が、前記電池室の外部から内部に向けて押圧されたとき、前記押出部材の内側端部が前記電池室に格納された電池を押圧する請求項１に記載の電池室。
【請求項６】
前記操作釦は、前記蓋部が閉じたときに前記電池室の内部側に位置する第１の押圧面と、前記電池室の外部側に位置する第２の押圧面とを備え、
前記蓋部は、前記第２の押圧面が前記押出部材の外側端部と係合するまで回動可能に設けられ、
前記蓋部が回動して前記第２の押圧面が前記押出部材の外側端部と係合し、前記第１の押圧面が前記電池室の外部から内部に向けて押圧されたとき、前記操作釦の前記第２の押圧面が前記押出部材の前記外側端部を押圧して、前記押出部材の内側端部が前記電池室に格納された電池を押圧する請求項４に記載の電池室。
【請求項７】
前記電池室は、前記電池室の外側の側面に前記張出部の張り出し方向とほぼ同じ方向に貫通するように形成される凹部を備え、
前記蓋部は、前記第２の押圧面が前記押出部材の外側端部と係合するまで回動したときに、前記凹部と嵌合する固定突起を備える請求項５に記載の電池室。
【請求項８】
請求項１に記載の電池室を備えるカメラ。
【発明の詳細な説明】
【技術分野】
【０００１】
本発明は、電源として用いる電池を格納するため、例えば携帯用機器に設けられる電池室に関する。
【背景技術】
【０００２】
電源を必要とする携帯機器は、電源として用いる電池を格納するために電池室を備える。この電池室は蓋により外部から遮蔽され、ユーザは電池が消耗したときにはこの蓋を外して電池を交換する。電池は電池室の内部で電極を兼ねる弾性部材により固定される。電池を確実に固定するため、電池から突出する凸形状の正極を収容する開口を電極に設ける構成が知られている（特許文献１）。
【特許文献１】登録実用新案第３０３３３６９号公報
【発明の開示】
【発明が解決しようとする課題】
【０００３】
しかし、この構成では正極が開口の縁を超えるまで電池を負極側に押圧しなければならないため、電池の固定を確実にするために負極側の弾性を高くすると、取り付け及び取り外しに大きな力が必要となるおそれがある。また、取り外すときに正極が開口に引っかかってしまい、電池を外しにくくなるおそれがある。
【０００４】
本発明はこれらの問題に鑑みてなされたものであり、確実に電池を保持すると共に、容易に取り外しが可能な電池室を得ることを目的とする。
【課題を解決するための手段】
【０００５】
本願第１の発明による電池を格納するための電池室は、電池室に電池が出入りするための取出開口部と、取出開口部の縁部から内側に向けて突出する張出部と、電池を張出部の方向に付勢する第１の弾性部材と、電池室の外部かつ張出部の外側に軸支され、取出開口部を塞ぐように回動する蓋部と、蓋部の取出開口部に対向する面であって蓋部の回動端側に設けられ、蓋部が取出開口部を塞いだときに、電池が張出部の電池室側の面と係合するように電池を付勢する突起とを備えることを特徴とする。
【０００６】
張出部が突出する方向における電池室の長さは、取出開口部から電池室の最奥部に向けて単調に減少することが望ましい。これにより電池は格納位置へ確実に格納される。
【０００７】
取出開口部には段部が設けられ、蓋部は、回動端から出入自在に設けられる係合部材を備え、係合部材は、蓋部が取出開口部を塞いだときに、回動端の端部から突出して段部と係合するものであればなおよい。蓋部が不用意に空いてしまうことを防止する。
【０００８】
蓋部は、回動方向に開口する第１の孔部と、第１の孔部と遊嵌する操作釦とを備え、操作釦は、係合部材の係合端部と反対側の後端部と係合して、係合部材の動きを規制する規制部材を備え、操作釦は、蓋部が取出開口部を塞いだとき、電池室に格納された電池により押圧されて蓋部から電池室の外部へ突出することにより、規制部材の操作を可能にすることが好ましい。
【０００９】
電池室の側面に張出部の張り出し方向とほぼ同じ方向に貫通するように形成される第２の孔部と、第２の孔部と遊嵌する押出部材とを備え、押出部材が、電池室の外部から内部に向けて押圧されたとき、押出部材の内側端部が電池室に格納された電池を押圧することが望ましい。
【００１０】
操作釦は、蓋部が閉じたときに電池室の内部側に位置する第１の押圧面と、電池室の外部側に位置する第２の押圧面とを備え、蓋部は、第２の押圧面が押出部材の外側端部と係合するまで回動可能に設けられ、蓋部が回動して第２の押圧面が押出部材の外側端部と係合し、第１の押圧面が電池室の外部から内部に向けて押圧されたとき、操作釦の第２の押圧面が押出部材の外側端部を押圧して、押出部材の内側端部が電池室に格納された電池を押圧するように構成してもよい。
【００１１】
さらに、電池室は、電池室の外側の側面に張出部の張り出し方向とほぼ同じ方向に貫通するように形成される凹部を備え、蓋部は、第２の押圧面が押出部材の外側端部と係合するまで回動したときに、凹部と嵌合する固定突起を備えるものであればなお良い。
【００１２】
本願第２の発明によるカメラは、上記電池室を備えることを特徴とする。
【発明の効果】
【００１３】
本発明によれば、確実に電池を保持すると共に、容易に取り外しが可能な電池室を得ることができる。
【発明を実施するための最良の形態】
【００１４】
以下、本発明による電池室の一実施形態について添付図面を参照して説明する。
【００１５】
図１は本発明による電池室を備えるカメラ１００を底面側から見た斜視図である。電池室は蓋部３００がカメラ１００の底面１１０に露出するように設けられる。カメラ１００の角部１２０には蝶番３１０が設けられ、蓋部３００は蝶番３１０を軸として回動する。電池室には直方体の電池が格納され、カメラ１００はこの電池から電力の供給を受けて動作する。カメラ１００の動作は従来公知であるため説明を省略する。
【００１６】
図２から４を用いて電池室の構成について詳細に説明する。図３において、電池室２００には電池が格納されていない。図４では、説明のため押さえ部材３２０を取り外した蓋部を示す。
【００１７】
電池室２００は、カメラ１００の底面１１０からカメラ１００の頂部に向けて形成される電池格納部４００と、取出開口部４１０を塞ぐ蓋部３００とを有する。
【００１８】
電池格納部４００は台形の断面形状を有し、電池の出入り口である取出開口部４１０、最奥部４２０、及び取出開口部４１０と最奥部４２０とを繋ぐ側面部とから成る。
【００１９】
この断面において、最奥部４２０を構成する直線と、取出開口部４１０を構成する直線とは略平行となるように構成される。最奥部４２０の長手方向長さ、つまり最奥部４２０を構成する直線の長さは、取出開口部４１０の長手方向長さ、つまり取出開口部４１０を構成する直線の長さよりも長い。最奥部４２０及び取出開口部４１０の幅は、電池の幅よりもわずかに大きい。
【００２０】
側面部は、カメラ１００本体のケーシング１３０側に設けられケーシング１３０の表面と略並行をなす外側面４３１と、外側面４３１に対向する内側面４３２とから構成される。外側面４３１と内側面４３２は平行ではなく、最奥部４２０から取出開口部４１０に向けて外側面４３１と内側面４３２との間隔は単調増加する。内側面４３２は電池格納部４００において張出部４３５の反対側に位置する。すなわち、電池格納部４００において蝶番側３１０には外側面４３１が設けられ、蝶番３１０の反対側には内側面４３２が設けられる。
【００２１】
外側面４３１と最奥部４２０、及び外側面４３１と取出開口部４１０とは略直角に接続される。一方、内側面４３２と最奥部４２０は当接部４３３を介して接続される。内側面４３２と当接部４３３、及び当接部４３３と最奥部４２０とは鈍角をなすように接続される。当接部４３３が内側面４３２と最奥部４２０とを接続することにより、接続角度が緩やかになる。内側面４３２と取出開口部４１０とは鋭角をなすように接続される。内側面４３２は取出開口部４１０から当接部４３３まで図３に示す断面において直線をなす。当接部４３３は内側面４３２から最奥部４２０まで図３に示す断面において直線をなす。後述する張出部４３５が突出する方向における電池格納部４００の長さは、取出開口部４１０から最奥部４２０に向けて単調に減少する。
【００２２】
取出開口部４１０において、内側面４３２との接続部には第１の段部４３４が設けられ、第１の段部４３４に対向するように外側面４３１から張出部４３５が突出する。張出部４３５の端部には、電池格納部４００側に向けて傾斜する傾斜部４３６が設けられる。
【００２３】
外側面４３１における最奥部４２０に近い位置、及び取出開口部４１０に近い位置には第１及び第２の支持突起４３７、４３８が設けられる。これにより、電池の側面全体が外側面４３１に接触して電池に傷が付くことを防止する。
【００２４】
電池格納部４００の最奥部４２０には、導電性及び弾性を持つ第１の弾性部材である接触部材４４０が設けられる。接触部材４４０は最奥部４２０に開口する孔４２１を貫通して電池室２００の外部から電池格納部４００に突出する接触部４４１と、接触部４４１から電池室２００の外部に延びる支持部４４２とから成る。接触部材４４０の支持部側端部４４３は電池室２００の外面２０１に固定される。接触部材４４０は弾性を有し、支持部側端部４４３を支点として弾性変形する。接触部４４１は支持部側端部４４３よりも内側面４３２側に置かれ、電池を張出部４３５方向に付勢する。接触部４４１は電極として機能し、電池の正極及び負極とそれぞれ接触して電池と通電する。支持部４４２はカメラ１００内部に設けられる図示しない回路に接続される配線を介してカメラ１００に電力を供給する。
【００２５】
蓋部３００は、操作釦３１０、係合部材３４０、及び電池固定部３６０を主に有する。操作釦３１０は、径の大きい円筒３１１と径の小さい円筒３１２を同軸に接続した形状である。径の大きい円筒３１１は電池格納部４００側に位置する大径の孔３０１と遊嵌し、径の小さい円筒３１２は電池格納部４００側に位置する小径の孔３０２と遊嵌する。大径の孔３０１と小径の孔３０２は同軸に接続され、電池格納部４００からカメラ１００の外部に向けて貫通する。
【００２６】
電池格納部４００側の大径孔３０１とカメラ１００外部側の小径孔３０２との間には第２の段部３０３が形成される。第２の段部３０３と径の大きい円筒３１１との間にはコイルスプリング３１３が設けられ、操作釦３１０は電池格納部４００側に付勢される。大径孔３０１の開口部には抑えリング３１５が圧入され、径の大きい円筒３１１に設けられるリブ３１６と係合して、操作釦３１０が大径孔３０１から電池格納部４００側に外れてしまうことを防止する。
【００２７】
蓋部３００には、蓋部３００の長手方向に延びる係合部材３４０が設けられる。係合部材３４０は蓋部３００に摺動自在に取り付けられる。係合部材３４０の係合端部３４１は蓋部３００の先端部３０５から突出することが可能である。係合部材３４０の厚さ方向の動きは押さえ部材３２０により規制される。蓋部３００における電池室２００の外側には、蓋部３００の長手方向に延びる長方形の開口部３０６が設けられる。係合部材３４０はこの開口部３０６からカメラ１００の外部に向けて突出する操作突起３４２を有する。この操作突起３４２を先端部３０５側に動かすことにより、係合部材３４０は先端部３０５から突出して第１の段部４３４と係合する。これにより蓋３００は電池室２００に固定され、不用意に開かなくなる。
【００２８】
操作釦３１０のリブ３１６には、操作釦３１０の接線方向に延びるアーム３１７が設けられる。アーム３１７は、回動することにより係合部材３４０の後端部３４３と係合するように設けられる。
【００２９】
蓋部３００の先端部３０５側の電池格納部４００側には、電池固定部３６０が設けられる。電池固定部３６０は、蓋部３００が取出開口部４１０を塞いだときに、電池が張出部４３５の電池格納部４００側の面と係合するように電池を付勢する突起である。蓋部３００は、電池を外側面４３１方向に付勢する第１の付勢面３６１と、最奥部４２０方向に付勢する第２の付勢面３６２と、外側面４３１及び最奥部４２０方向に付勢する第３の付勢面３６３とを備える。蓋部３００が閉められると、電池固定部３６０は電池格納部４００の内側面４３２側に位置する。
【００３０】
蓋部３００は回動軸１３２を軸として取出開口部４１０からカメラ１００のケーシング１３０に接触するまで略２７０度回動するように設けられる。
【００３１】
外側面４３１には、第２の孔部１３１が電池格納部４００からカメラ１００の外部に貫通する。第２の孔部１３１には円筒状の押出部材５００が遊嵌する。押出部材５００の電池格納部４００側には板バネ５１０の端部５１１が取り付けられる。板バネ５１０において押出部材５００が取り付けられる端部５１１の裏側、すなわち電池格納部４００側には押圧突起部５１３が設けられる。この押圧突起部５１３及び板バネ５１０は、電池格納部４００のケーシング１３０側の側面に設けられた凹部４３９に納められ、電池格納部４００側に突き出ることはない。板バネ５１０の他端５１２は、凹部４３９に固定される。
【００３２】
蓋部３００のカメラ１００外部側には、４つの固定突起３７０が設けられる。蓋部３００がカメラ１００のケーシング１３０に接触するまで回動すると、この４つの固定突起３７０がカメラ１００のケーシング１３０に設けられた４つの固定凹部４６０と嵌合する。これにより、蓋部３００がケーシング１３０との接触面内で動くことを防止する。また、蓋部３００の回動により操作釦３１０の径の小さい円筒３１２が押出部材５００の端面５０１と係合する。ユーザは操作釦３１０を押圧することにより、押出部材５００を電池格納部４００側へ突出させることができる。
【００３３】
次に電池６００を挿入するときの構成について図５から８を用いて説明する。
【００３４】
ユーザが電池６００を取出開口部４１０から挿入すると、まず、電池６００の第１の角部６０３が内側面４３２と接触する。第１の角部は内側面４３２に案内されて、当接部４３３と接触する。当接部４３３は電池６００を外側面４３１方向に付勢する。外側面４３１方向に付勢された電池６００は、電極６０１が接触部材４４０と接触し、その側面６０２が電池格納部４００の外側面４３１に設けられる第１の支持突起４３７と係合する。
【００３５】
そして、ユーザは接触部材４４０からの弾性力に対向して電池６００をさらに押圧し、外側面４３１方向へ付勢する。付勢により、電池６００の側面６０２が第２の支持突起４３８と接触すると、ユーザは付勢をやめる。これにより、第１の角部６０３と対角線上にある第２の角部６０４が張出部４３５と係合し、電池６００は電池格納部４００に格納される。また、張出部４３５の端部には電池格納部４００側に向けて傾斜する傾斜部４３６が設けられているため、電池６００は電池格納部４００の中へスムーズに格納される。
【００３６】
次に、ユーザは蓋部３００を閉める。蓋部３００を閉めると、蓋部３００の先端部３０５側に取り付けられた電池固定部３６０が、電池６００と内側面４３２との間に楔のように挿入され、電池６００が内側面４３２方向に動くことを防止する。すなわち、電池６００はその長手方向において接触部４４１、張出部４３５、操作部３１０、及び第２の付勢面３６２により付勢保持され、幅方向において当接部４３３、第１の付勢面３６１により付勢保持される。これにより、電池６００が電池格納部４００の内部でがたついて電極６０１と接触部材４４０とが接触不良を起こすことを防止できる。
【００３７】
電池６００が張出部４３５と係合していないとき、つまり電池６００が完全に電池格納部４００に格納されていないときに蓋部３００が閉められたとき、電池固定部３６０の第３の付勢面３６３は、電池６００の第３の角部６０５と係合して電池６００を最奥部４２０及び外側面４３１の方向へ押圧する。電池６００は内側面４３２に案内されて電池格納部４００に挿入されるとともに、第２の角部６０４が張出部４３５と係合する。これにより、電池６００は電池格納部４００に格納される。すなわち、電池６００が完全に電池格納部４００に格納されていないときでも、蓋部３００を閉じることにより、電池６００を確実に電池格納部４００へ格納することができる。
【００３８】
一方、操作釦３１０では、径の大きい円筒３１１が電池６００により押圧される。そのため径の大きい円筒３１１と接続される径の小さい円筒３１２が小径孔３０２からカメラ１００外部側に向けて突出し、摘み３１２ａを形成する。
【００３９】
係合端部３４１が先端部３０５から突出して第１の段部４３４と係合したとき、ユーザが摘み３１２ａを回してアーム３１７を回動させると、後端部３４３がアーム３１７と係合する。アーム３１７と係合した係合部材３４０は摺動方向に対して固定され、不用意に第１の段部４３４との係合が外れることが防止される。
【００４０】
次に電池６００を取り出すときの構成について図９を用いて説明する。
【００４１】
蓋部３００を開けるとき、ユーザは蓋部３００から突出する操作釦３１０の摘み３１２ａを回転する。これにより、アーム３１７と後端部３４３との係合が外れ、操作突起を蓋部３００の回動軸１３２方向に動かすことが可能になる。ユーザは操作突起を動かして、先端部３０５と第１の段部４３４との係合を外し、蓋部３００を開く。このとき、電池６００は張出部４３５と係合しているため、蓋部３００を開いただけでは不用意に電池格納部４００の外へ飛び出ることがない。
【００４２】
そして、蓋部３００を回動させてケーシング１３０と接触すると、固定突起３７０が固定凹部４６０と係合する。これにより蓋部３００はケーシング１３０の面上における特定の位置に固定され、操作釦３１０の摘み３１２ａは押出部材５００の端部と確実に係合する。ユーザは操作釦３１０を押圧して、押出突起部５１３を電池格納部４００側へ突出させる。電池６００は押圧突起部５１３に付勢されて、内側面４３２側に移動する。これにより、第２の角部６０４と張出部４３５との係合が外れて、電池６００は接触部材４４０に付勢され、取出開口部４１０からわずかに飛び出る。ユーザはこの飛び出た部位を摘んで電池６００を取り出す。また、張出部４３５の端部には電池格納部４００側に向けて傾斜する傾斜部４３６が設けられているため、第２の角部６０４と張出部４３５との係合はスムーズに外れる。
【００４３】
操作釦３１０が押出部材５００を押圧するため、押出部材５００をケーシング１３０よりも突出させる必要がなくなり、ユーザの誤操作を防止できる。また、大径の操作釦３１０を押圧することにより電池６００を取り出すことができるため、細かな操作を苦手とするユーザも容易に電池６００を取り出すことができる。
【図面の簡単な説明】
【００４４】
【図１】電池室を備えるカメラを底面側から見た斜視図である。
【図２】電池室を備えるカメラの一部底面図である。
【図３】図２のIII−III線における電池室の一部断面図である。
【図４】蓋部を電池格納部側から見た図である。
【図５】蓋部がケーシングと接触するまで回動したときにおけるカメラの側面図である。
【図６】図５のVI−VI線における電池室の一部断面図である。
【図７】電池が電池格納部に格納されたときの電池室の断面を示す一部斜視図である。
【図８】電池が電池格納部に格納され蓋部が閉じられたときの電池室の断面を示す一部斜視図である。
【図９】電池を取り出すときの電池室の断面を示す一部斜視図である。
【符号の説明】
【００４５】
１００  カメラ
１３０  ケーシング
３００  蓋部
３１０  操作釦
３４０  係合部材
３６０  電池固定部
４００  電池格納部
４１０  取出開口部
４４０  接触部材
６００  電池
６０４  第２の角部
【図１】
0005220360.tif 000002
【図２】
0005220360.tif 000003
【図３】
0005220360.tif 000004
【図４】
0005220360.tif 000005
【図５】
0005220360.tif 000006
【図６】
0005220360.tif 000007
【図７】
0005220360.tif 000008
【図８】
0005220360.tif 000009
【図９】
0005220360.tif 000010